(57)【要約】【課題】インサート成型を行わずに簡易に端子を取り付けることが可能なアンテナ装置を提供すること。【解決手段】磁性材料から形成されるコア２０と、コア２０の一端部側に配置されている端子取付部８０と、そのコア２０の外周側に配置されると共に導線４１を巻回することにより形成されるコイル４０と、端子取付部８０に取り付けられると共に、いずれかの部位で導線４１の端末または電子部品と電気的に接続される複数の端子部材７０と、を具備し、端子取付部８０には、端子部材７０を差し込むための複数の取付溝８１が設けられている。【選択図】図３
2018148583.tif 000002
【特許請求の範囲】
【請求項１】
導線を巻回することにより形成されるコイルと、一方のリード部および他方のリード部を備えるコンデンサと、が設けられている内部接続回路を有し、
前記コイルは巻枠部の外周に配置され、
前記のコンデンサはコンデンサ取付部に取り付けられ、
前記コンデンサ取付部にはガイド凸部が設けられていて、
前記一方のリード部の先端と前記コンデンサ取付部の前記ガイド凸部と重ねられ、その重ねられた部分において前記導線の端末が絡げられている、
ことを特徴とするアンテナ装置。
【請求項２】
前記アンテナ装置は、少なくとも１本の端子部材を有していて、
前記端子部材の先端のリード重ね部は、前記他方のリード部の先端に対して電気的に接続される状態で重ねられている、
ことを特徴とする請求項１記載のアンテナ装置。
【請求項３】
前記コンデンサは、前記コンデンサ取付部の設置凹部に設置され、
前記設置凹部は前記コンデンサ取付部の表面から窪むように形成されている、
ことを特徴とする請求項１または２記載のアンテナ装置。
【請求項４】
前記コンデンサ取付部には手前側係止部が設けられていて、
前記手前側係止部は前記コンデンサの前記一方のリード部と前記他方のリード部の間に設けられることで、該コンデンサが前記手前側係止部側に脱落するのを防止する、
ことを特徴とする請求項１から３のいずれか１項に記載するアンテナ装置。
【請求項５】
前記コンデンサ取付部には抑え部が設けられていて、
前記抑え部は、前記手前側係止部の先端に前記設置凹部と対向するように設けられていて、
前記抑え部は前記コンデンサが前記設置凹部から離間する側に脱落するのを防止する、
ことを特徴とする請求項４記載のアンテナ装置。
【請求項６】
前記コンデンサ取付部には端子取付部が一体的に設けられていて、
前記端子部材は前記端子取付部に取り付けられている、
ことを特徴とする請求項２記載のアンテナ装置。 
【請求項７】
前記端子差込部は、凹形状に延伸して設けられると共にその延伸方向の縁部から前記端子部材を延出させる取付溝であり、
複数の前記取付溝には、前記端子取付部の幅方向に沿って当該端子取付部を突っ切る複数の取付縦溝と、前記端子取付部の幅方向と交差する方向に沿って延伸する複数の取付横溝とが設けられていて、
前記端子部材はＬ字型に設けられていて、そのＬ字型の前記端子部材が前記取付縦溝と前記取付横溝に挿入されている、
ことを特徴とする請求項２または６記載のアンテナ装置。
【請求項８】
前記取付縦溝と前記取付横溝は、その幅が同程度に設けられている、
ことを特徴とする請求項７記載のアンテナ装置。
【請求項９】
前記端子取付部は樹脂充填部により覆われている、
ことを特徴とする請求項６から８のいずれか１項に記載のアンテナ装置。
【発明の詳細な説明】
【技術分野】
【０００１】
本発明は、アンテナ装置に関する。
【背景技術】
【０００２】
近年、車両には、ドアの施錠および解錠を行うための信号を受信するためのアンテナ装置を搭載するものが増えている。このようなアンテナ装置としては、たとえば特許文献１に開示のものがある。特許文献１に開示のアンテナ装置は、棒状の磁性体コアにコイルを巻回された構成となっている。かかるアンテナ装置を製造するためには、金属板をプレス等により所定形状に形成したフープを金型内部に配置し、その配置の後に樹脂等の充填材を充填するインサート成型を行う。かかるインサート成型により、端子となるフープと樹脂ベースとを一体的に形成している。
【０００３】
また、特許文献１に開示の構成では、磁性体コアの外周面にコイルを巻回した後に、モールド成型を行うことにより、当該コアの外周を覆うケースを形成している。
【先行技術文献】
【特許文献】
【０００４】
【特許文献１】特開２０１０−０８１０８８号公報
【発明の概要】
【発明が解決しようとする課題】
【０００５】
ところで、特許文献１に開示のようにインサート成型を行う場合、そのインサート成型よりも前に所定の形状のフープを形成する必要がある。かかるフープを形成する場合には、金属板か多くの部分が切り落とされてしまい、材料である金属板に無駄となる部分が多く生じてしまう。また、所定形状のフープを形成するために、専用のプレス金型も必要となる。
【０００６】
また、フープを射出成型用の金型内部にセットして、インサート成型を行う場合には、フープを金型内部で所定の位置に固定する必要がある。さらに、フープのうち射出成型用の金型から露出する部分では、その部分に対応して充填される樹脂を遮断する対策を取る必要があり、金型が複雑になってしまい、それによってコストも上昇してしまう。
【０００７】
本発明は、かかる問題に鑑みてなされたものであり、その目的とするところは、インサート成型を行わずに簡易に端子部材を取り付けることが可能なアンテナ装置を提供しよう、とするものである。
【課題を解決するための手段】
【０００８】
上記課題を解決するために、本発明のアンテナ装置の一側面は、磁性材料から形成されるコアと、コアの一端部側に配置される端子取付部と、コアの外周側に配置されると共に導線を巻回することにより形成されるコイルと、端子取付部に取り付けられると共に、いずれかの部位で導線の端末または電子部品と電気的に接続される複数の端子部材と、を具備し、端子取付部には、端子部材を差し込むための複数の端子差込部が設けられていて、端子差込部は、凹形状に延伸して設けられると共にその延伸方向の縁部から端子部材を延出させる取付溝であり、複数の取付溝のうちの少なくとも１つは、他の取付溝と交差している、ことを特徴としている。
【０００９】
また、本発明のアンテナ装置の他の側面は、上述の発明に加えて更に、端子取付部と一体成型される巻枠部を更に備え、コアがこの巻枠部の内挿孔に挿入され、コイルがこの巻枠部の外周側に配置される、ことが好ましい。
【００１０】
また、本発明のアンテナ装置の他の側面は、上述の発明に加えて更に、取付溝には、端子取付部の幅方向に沿って当該端子取付部を突っ切る複数の取付縦溝と、端子取付部の幅方向と交差する方向に沿って延伸する複数の取付横溝とが設けられている、ことが好ましい。
【００１１】
さらに、本発明のアンテナ装置の他の側面は、上述の発明に加えて更に、取付縦溝と取付横溝とは直交する状態で交差している、ことが好ましい。
【００１２】
また、本発明の磁性素子の他の側面は、上述の発明に加えて更に、取付溝同士が交差する部位のうちの少なくとも１つには、端子部材の曲げ形状に対応する湾曲部が設けられている、ことが好ましい。
【００１３】
さらに、本発明のアンテナ装置の他の側面は、上述の発明に加えて更に、複数の端子部材のうち２つについては、その一方側が他の装置に接続されるユーザ端子であると共に、その他方側が導線の端末が絡げられる絡げ端子部である、ことが好ましい。
【００１４】
また、本発明のアンテナ装置の他の側面は、磁性材料から形成されるコアと、コアの一端部側に配置される端子取付部と、コアの外周側に配置されると共に導線を巻回することにより形成されるコイルと、端子取付部に取り付けられると共に、いずれかの部位で導線の端末または電子部品と電気的に接続される複数の端子部材と、を具備し、端子取付部には、端子部材を差し込むための複数の端子差込部が設けられていて、端子差込部は、端子部材の外周を覆う端子挿入孔であり、この端子挿入孔から端子部材の一端側および他端側が延出する状態で端子部材が挿入され、端子取付部には、当該端子取付部を貫く開口部が設けられていると共に、開口部には面実装型のチップコンデンサが配置され、端子部材には、チップコンデンサを支持すると共に端子挿入孔への差し込みの先端側よりも広い幅広支持部が設けられている、ことを特徴としている。
【００１５】
また、本発明のアンテナ装置の製造方法の一側面は、磁性材料から形成されるコアの周囲に導線を巻回してコイルを形成するコイル形成工程と、コイル形成工程に前後して、コアの端部側に配置されている端子取付部に、導線の端末または電子部品と電気的に接続される端子部材を取り付ける端子取付工程と、を具備し、端子取付部には、端子部材を差し込むための複数の端子差込部が設けられていて、端子差込部は、凹形状に延伸して設けられると共にその延伸方向の縁部から端子部材を延出させる取付溝であり、複数の取付溝のうちの少なくとも１つは、他の取付溝と交差していて、端子取付工程では、取付溝に端子部材を差し込む、ことを特徴としている。
【００１６】
また、本発明のアンテナ装置の製造方法の他の側面は、上述の発明に加えて更に、コイル形成工程および端子取付工程の後に、複数の端子部材のうちの少なくとも２つの端子部材の他方側に存在する絡げ端子部に、導線の端末を絡げる絡げ工程を備える、ことが好ましい。
【００１７】
また、本発明のアンテナ装置の製造方法の他の側面は、上述の発明に加えて更に、端子取付工程の後に、端子差込部への複数の端子部材の差し込みの後に、少なくとも１つの端子部材を所定長さで切断する切断工程を備える、ことが好ましい。
【発明の効果】
【００１８】
本発明によると、インサート成型を行わずに簡易に端子部材を取り付けることが可能となる。
【図面の簡単な説明】
【００１９】
【図１】本発明の一実施の形態に係るアンテナ装置の全体構成を示す斜視図である。
【図２】図１のアンテナ装置の構成を示す側面断面図である。
【図３】図１のアンテナ装置から樹脂充填部とケースを除いた状態を示す斜視図である。
【図４】図１のアンテナ装置のうち、ベースの構成を示す斜視図である。
【図５】図１のアンテナ装置のうち、端子取付部の構成を拡大して示す平面図である。
【図６】図１のアンテナ装置のうち、端子取付部に端子部材を取り付けた状態を示す斜視図である。
【図７】図１のアンテナ装置のうち端子部材の構成を示す斜視図である。
【図８】図１のアンテナ装置における端子取付部のうち、コンデンサ取付部付近の構成を示す正面断面図であり、コンデンサ取付部にピン型コンデンサが存在する状態を示している。
【図９】他の形態１に関するアンテナ装置の構成を示す斜視図である。
【図１０】他の形態１に関するアンテナ装置からケースと樹脂充填部を取り除いた構成を示す斜視図である。
【図１１】他の形態２に関するアンテナ装置の構成を示す斜視図である。
【図１２】他の形態２に関するアンテナ装置からケースと樹脂充填部を取り除いた状態を示す斜視図である。
【図１３】他の形態３に関するアンテナ装置の構成からケースと樹脂充填部を取り除いた構成を示す斜視図である。
【図１４】他の形態３で構成される内部接続回路を示す図である。
【図１５】他の形態３の変形例に係り、ストレート形状の端子部材をそれぞれの取付縦溝に差し込まれた状態を示す斜視図である。
【図１６】他の形態３の変形例に係り、略Ｌ字形状の端子部材が用いられている状態を示す斜視図である。
【図１７】他の形態４に関するアンテナ装置に係り、そのアンテナ装置の構成からケースと樹脂充填部を取り除いた構成を示す斜視図である。
【図１８】他の形態４におけるアンテナ装置の端子取付部の構成を示す平面図である。
【図１９】他の形態４で用いられる端子部材の形状を示す平面図である。
【発明を実施するための形態】
【００２０】
以下、本発明の一実施の形態に係る、アンテナ装置１０について、図面を参照しながら説明する。なお、以下の説明においては、アンテナ装置１０の製造方法についても、構成の説明中に適宜説明する。
【００２１】
また、以下の説明においては、ＸＹＺ直交座標系を用いて説明することがある。そのうち、Ｘ方向はアンテナ装置１０の長手方向とし、Ｘ１側は後述する端子部材７０が取り付けられる側とし、Ｘ２側はそれとは逆側とする。また、Ｚ方向はアンテナ装置１０の厚み方向とし、Ｚ１側は図２における上側とし、Ｚ２側は図２における下側とする。また、Ｙ方向はＸＺ方向に直交する方向（幅方向）とし、Ｙ１側は図１における右手前側とし、Ｙ２側はそれとは逆の奥左側とする。
【００２２】
＜アンテナ装置１０の全体構成について＞
図１は、アンテナ装置１０の全体構成を示す斜視図である。図２は、アンテナ装置１０の構成を示す側面断面図である。図１および図２に示すように、アンテナ装置１０は、コア２０と、ベース３０と、コイル４０と、樹脂充填部５０と、ケース６０と、端子部材７０と、を主要な構成要素としている。
【００２３】
図２に示すように、コア２０は、磁性材料から形成されると共に、Ｘ方向に長い長尺状（棒状）に設けられている。また、コア２０は、正面から見たときの断面を矩形状としている。なお、コア２０は、その材質を磁性材としているが、磁性材としては、例えば、ニッケル系のフェライトまたはマンガン系のフェライト等の種々のフェライト、パーマロイ、センダスト等、各種の磁性材料および各種の磁性材料の混合物を用いることが可能である。
【００２４】
図３は、アンテナ装置１０から樹脂充填部５０とケース６０を除いた状態を示す斜視図である。図２および図３に示すように、コア２０の外周側には、ベース３０が取り付けられている。換言すると、コア２０は、ベース３０の内挿孔３４に挿入されている。ベース３０は、その材質を絶縁性に優れた熱可塑性樹脂または熱硬化性樹脂とするのが好ましいが、半田付けや溶接加工などにより熱ダメージを受ける場合があることに鑑みて、耐熱性樹脂を用いることが更に好ましい。
【００２５】
図４は、ベース３０の構成を示す斜視図である。図４に示すように、ベース３０は、筒体部３１を備え、その筒体部３１には、巻枠部３２と、支持鍔部３３とが設けられている。また、筒体部３１には、内挿孔３４が設けられていて、その内挿孔３４には、コア２０が挿入されている。また、ベース３０は、端子取付部８０も有している。
【００２６】
巻枠部３２は、ベース３０のうちコア２０に直接取り付けられる部分である。すなわち、巻枠部３２は、その内壁側でコア２０に直接接触している。なお、巻枠部３２の内壁には、コア２０を支持するための図示を省略するリブ等が設けられることが好ましい。
【００２７】
また、図２および図３に示すように、巻枠部３２の外周側には、導線４１を巻回することによってコイル４０が形成されている（この巻回する工程は、コイル形成工程に対応）。また、巻枠部３２のうち長手方向（Ｘ方向）の両端側には、支持鍔部３３が設けられている。支持鍔部３３は、ベース３０のうちケース６０の内壁側に向かい突出している鍔状の部分である。すなわち、支持鍔部３３は、巻枠部３２よりも幅方向（Ｙ方向）および上下方向（Ｚ方向）で突出するように設けられている。そして、この支持鍔部３３を介して、ベース３０がケース６０の差込孔６１の内部で支持される。
【００２８】
また、一対の支持鍔部３３のうち一端側（Ｘ１側）に位置する支持鍔部３３Ａには、ガイドスロープ３３１が設けられている。ガイドスロープ３３１は、巻枠部３２から一端側（Ｘ１側）向かうにつれて、徐々に上方側（Ｚ１側）に向かうように傾斜した傾斜部分である。かかるガイドスロープ３３１の存在により、コイル４０から端子部材７０に向かう導線４１のガイドが容易となる。
【００２９】
また、ベース３０には、端子取付部８０も設けられている。端子取付部８０は、上述した筒体部３１と一体的に設けられていても良いが、別体的に形成した後に組み合わせる構成としても良い。すなわち、端子取付部８０は、コア２０の端部側に配置されていれば筒体部３１と一体的であっても、一体的でなくても良い。なお、端子取付部８０の詳細構成については、後述する。
【００３０】
また、ケース６０の差込孔６１の内部には、樹脂充填部５０が設けられている。樹脂充填部５０は、差込孔６１の内部に樹脂を充填して形成されたものであり、それによって差込孔６１の内部が封止されている。また、樹脂充填部５０の存在により、ベース３０が差込孔６１の内部でガタつかずに確実に保持される。そして、ケース６０および樹脂充填部５０により、アンテナ装置１０へ防水効果を更に高めることができる。図２に示す構成では、樹脂充填部５０は、ケース６０の内部空間を充填するように設けられている。
【００３１】
ただし、樹脂充填部５０がコイル４０を覆わない構成としても良い。この場合、たとえば、樹脂充填部５０が差込孔６１の開口部のみを封止すれば良い。特に、端子取付部８０が差込孔６１の開口部付近に位置する場合、この開口部と端子取付部８０の上下空間と同時に樹脂充填部５０で充填することが好ましい。このとき、端子取付部８０上に差し込まれている端子部材７０がこの樹脂充填部５０により更に堅固に固定され、ユーザ側の外部コネクタに接続する際におけるガタツキを低減することができる。なお、端子取付部８０が差込孔６１の開口部付近に位置しない場合、２回（それ以上でも良い）に分けてそれぞれ端子取付部８０および差込孔６１の開口部を樹脂充填部５０で封止することもできる。
【００３２】
ケース６０は、コア２０、ベース３０、コイル４０および樹脂充填部５０を覆う部材である。このケース６０には、長手方向（Ｘ方向）に延伸している差込孔６１が設けられている。差込孔６１は、コア２０、ベース３０および樹脂充填部５０の全体を入り込ませることが可能となるように長く設けられている。なお、差込孔６１のうち一端側（Ｘ１側）は閉塞壁６１１によって塞がれているが、この閉塞壁６１１には、後述する端子部材７０をコネクタ穴６２１に突出させるために、端子挿入孔６１２が設けられている。なお、端子挿入孔６１２に端子部材７０を挿入した状態では、差込孔６１に水等が入り込み難くなっている。
【００３３】
また、ケース６０には、コネクタ接続部６２が設けられている。コネクタ接続部６２は、コネクタ穴６２１を有していて、このコネクタ穴６２１は閉塞壁６１１の存在によって有底となっている。したがって、コネクタ穴６２１の内部には、端子挿入孔６１２を介して端子部材７０が突出する。そして、コネクタ穴６２１に外部のコネクタを差し込むと、当該コネクタと端子部材７０とが電気的に接続され、コイル４０に電流を導通させることが可能となっている。
【００３４】
＜端子取付部８０の詳細構成について＞
続いて、上述した端子取付部８０の詳細構成について説明する。図５は、端子取付部８０の構成を拡大して示す平面図である。図６は、端子取付部８０に端子部材７０を取り付けた状態を示す斜視図である。
【００３５】
図２に示すように、端子取付部８０は、コア２０に対して近接対向して配置されているが、接触はしていない。ただし、端子取付部８０がコア２０に対して接触するように構成しても良い。端子取付部８０は、ベース３０のうち最も一端側（Ｘ１側；コア２０の一端部と同等の位置）まで延出している。
【００３６】
図４から図６に示すように、端子取付部８０には、端子差込部に対応する複数の取付溝８１が設けられている。本明細書では、アンテナ装置１０の長手方向（Ｘ方向）を横方向とし、アンテナ装置１０の短手方向（Ｙ方向；幅方向）を縦方向とすると、取付溝８１には、Ｘ方向に沿う取付横溝８２と、Ｙ方向に沿う取付縦溝８３とが存在している。図４から図６に示す構成では、取付横溝８２は合計２つ存在していると共に、取付縦溝８３も合計２つ存在している。以下の説明では、手前側（Ｙ１側）に位置する取付横溝８２を第１取付横溝８２Ａとし、奥側（Ｙ２側）に存在する取付横溝８２を第２取付横溝８２Ｂとする。また、一端側（Ｘ１側）に存在する取付縦溝８３を第１取付縦溝８３Ａとすると共に、他端側（Ｘ２側）に存在する取付縦溝８３を第２取付縦溝８３Ｂとする。
【００３７】
図４に示すように、これらの取付溝８１は、端子取付部８０の上面から所定だけ窪んだ凹形状に設けられている。また、取付溝８１は、いずれもその幅が同程度に設けられている。そして、図４に示すように、それぞれの取付溝８１の底部は、同じ平面に存在するように設けられている。それによって、端子部材７０を取付溝８１に取り付けたときに（図３参照）、端子部材７０が不必要に傾斜したり、ガタついたりするのを抑えることができる。
【００３８】
本実施の形態では、取付横溝８２と取付縦溝８３は、互いに直交するように設けられている。しかし、取付横溝８２と取付縦溝８３とは、互いに直交しない状態で交差しても良い。また、図４に示す構成では、第１取付横溝８２Ａは、最も短く設けられており、他端側（Ｘ２側）に位置する第２取付縦溝８３Ｂとは交差していない。しかしながら、第１取付横溝８２Ａも第２取付縦溝８３Ｂと交差する構成としても良い。
【００３９】
また、図４に示すように、これらの取付溝８１に囲まれることにより、端子取付部８０には、複数のブロック８４が形成されている。以下では、長手方向（Ｘ方向）の一端側かつ幅方向（Ｙ方向）の手前側（Ｙ１側）のブロック８４を第１ブロック８４Ａとし、その第１ブロック８４Ａに対して奥側（Ｙ２側）で隣り合うブロック８４を第２ブロック８４Ｂとし、さらに第２ブロック８４Ｂに対して奥側（Ｙ２側）で隣り合うブロック８４を第３ブロック８４Ｃとする。
【００４０】
また、第１ブロック８４Ａおよび第２ブロック８４Ｂに対して長手方向（Ｘ方向）の他端側（Ｘ２側）で隣り合うブロック８４を第４ブロック８４Ｄとし、その第４ブロック８４Ｄに対して奥側（Ｙ２側）で隣り合うブロック８４を第５ブロック８４Ｅとする。なお、第４ブロック８４Ｄは、他のブロック８４と比較して長く設けられている。しかし、他のブロック８４と同程度の長さとなるように、第４ブロック８４Ｄを分割する構成としても良い。また、長手方向（Ｘ方向）の他端側（Ｘ２側）かつ奥側（Ｙ２側）のブロック８４を、第６ブロック８４Ｆとする。第６ブロック８４Ｆは、端子部材７０の延出方向を変更するべく第２取付横溝８２Ｂの突き当たり位置に差し掛かる配置としている。
【００４１】
ここで、図４および図５に示す構成では、第１ブロック８４Ａと第４ブロック８４Ｄには、湾曲部８４１がそれぞれ設けられている。湾曲部８４１は、端子部材７０の曲げに対応した部分であり、たとえばＬ字形状に曲げられた端子部材７０は、この湾曲部８４１の存在により、取付溝８１に容易に差し込むことが可能となる。図４および図５では、湾曲部８４１は、端子部材７０の差し込み態様を考慮して最小限必要となる第１ブロック８４Ａと第４ブロック８４Ｄに設けられている。しかしながら、湾曲部８４１は、その他の各ブロック８４に設けるように構成しても良い。なお、図４および図５に示す構成では、湾曲部８４１は、第１ブロック８４Ａおよび第４ブロック８４Ｄのうち他端側（Ｘ２側）かつ奥側（Ｙ２側）の隅部に設けられている。しかしながら、各ブロック８４に湾曲部８４１を設ける場合には、それ以外の隅部に湾曲部８４１を設けるようにしても良い。
【００４２】
このような取付溝８１には、図７に示すような端子部材７０が差し込まれ、図３および図６に示すような差し込み状態となる。図７に示すように、本実施の形態の端子部材７０は、金属製の端子に対してプレス成型を行い略Ｌ字形状に形成したものである。ただし、略Ｌ字形状ではなくストレート形状の端子部材７０を第１取付横溝８２Ａまたは第２取付横溝８２Ｂに挿入し、その後、治具や後述する湾曲部８４１を利用して曲げるようにしても良い（他の形態１を参照）。
【００４３】
かかる端子部材７０には、プレスの際の押圧による幅広部７１が設けられている。幅広部７１は、それぞれの取付溝８１よりも若干広くなるように設けられていて、図７に示す構成では、略Ｌ字形状の端子部材７０のそれぞれの辺に存在（すなわち合計２つが存在）している。また、幅広部７１は、プレスの際の押圧により形成されるので、端子部材７０の他の部分よりも薄肉に設けられている。
【００４４】
この幅広部７１は、取付溝８１への端子部材７０の差し込みに際して（この差し込みは、端子取付工程に対応する）、取付溝８１の側壁に引っ掛かる部分である。そのため、取付溝８１に端子部材７０を差し込むと、端子部材７０が取付溝８１から抜け難くなっている。なお、幅広部７１以外の端子部材７０の幅を、取付溝８１の幅よりも若干小さく形成するようにしても良い。このように構成する場合には、取付溝８１に差し込んだ端子部材７０が一層抜け難くなる。
【００４５】
上述の端子部材７０は、たとえば所定の直径を有し、円形、楕円形又は多角形状の断面形状を有する銅（Ｃｕ）、鉄（Ｆｅ）、ニッケル（Ｎｉ）またはその合金類等のような導電性が良く、しかも所定の硬度を有する金属材料から形成される部材であり、所定長さにせん断加工されている。なお、端子部材７０の表面には、錫、ニッケルやコバルト，クロム，パラジウム，金，銅等の金属材料またはこれらの金属材料を主成分とする合金材料によって鍍金層が形成されるのが好ましい。
【００４６】
なお、端子部材７０は、長辺と短辺とを有する略矩形状の断面形状を有するものが加工上、または取付けの観点からみて好ましい。また、図６等においては、２つの端子部材７０が取り付けられているものを示している。しかしながら、端子部材７０は、幾つ（たとえば、３つまたは４つ）用いられても良い（他の形態３を参照）。ただし、複数の端子部材７０のうちの２つの端子部材７０については、いずれかの端部側は、ユーザ端子となる。また、複数の端子部材７０のうちの少なくとも１つの端子部材７０については、いずれかの端部側が絡げ端子部（後述する絡げ端子部７０Ａ１はその代表例）となる。
【００４７】
また、図６に示すように、端子部材７０が取付溝８１に差し込まれた場合、その端子部材７０の先端側および後端側は、それぞれ取付溝８１から突出するような長さに設けられている。図６に示す構成では、一方の端子部材７０（端子部材７０Ａ）は、第１取付横溝８２Ａおよび第１取付縦溝８３Ａに跨って差し込まれると共に、他方の端子部材７０（端子部材７０Ｂ）は、第２取付横溝８２Ｂおよび第２取付縦溝８３Ｂに跨って差し込まれている。
【００４８】
そして、一方の端子部材７０Ａおよび他方の端子部材７０Ｂは、それぞれ第１取付横溝８２Ａおよび第２取付横溝８２Ｂから長手方向（Ｘ方向）の一端側（Ｘ１側）に突出すると共に、第１取付縦溝８３Ａおよび第２取付縦溝８３Ｂから幅方向（Ｙ方向）の手前側（Ｙ１側）に突出する。そして、端子部材７０Ａのうち、第１取付縦溝８３Ａから手前側（Ｙ１側）に突出する部分には、導線４１の端末が絡げられ（この絡げる工程は、絡げ工程に対応する）、絡げ端子としての機能を果たす。以下では、この絡げ端子として機能する部分を、絡げ端子部７０Ａ１とする。なお、他方の端子部材７０Ａのうち、絡げ端子部７０Ａ１とは反対側の端部は、他の装置等に接続されるユーザ端子となる（端子部材７０Ｂについても同様）。
【００４９】
また、端子部材７０Ｂのうち、第２取付縦溝８３Ｂから手前側（Ｙ１側）に突出する部分には、ピン型コンデンサ９０のリード部９１と重ねられ（以下、この部分をリード重ね部７０Ｂ１とする）、これらが半田付け等で電気的に接続される。なお、両者の接続は、半田付けに限られるものではなく、抵抗溶接や、レーザ溶接など様々の工法を用いることができる。
【００５０】
なお、一方の端子部材７０Ａおよび他方の端子部材７０Ｂのうち、第１取付横溝８２Ａおよび第２取付横溝８２Ｂから長手方向（Ｘ方向）の一端側（Ｘ１側）に突出する部分は、それぞれ端子挿入孔６１２に差し込まれる。そして、これらの突出部分は、コネクタ接続部６２のコネクタ穴６２１に延出している。
【００５１】
また、第４ブロック８４Ｄには、端末ガイド部８４Ｄ１が設けられている。端末ガイド部８４Ｄ１は、導線４１の端末が端子部７０Ａ１に向かうのをガイドする部分である。そのため、端末ガイド部８４Ｄ１は、導線４１が載置される部分よりも上方側（Ｚ１側）に突出する壁面形状に設けられている。また、端末ガイド部８４Ｄ１のうち長手方向（Ｘ方向）の他方側（Ｘ２側）かつ幅方向（Ｙ方向）の奥側（Ｙ１側）には、壁面形状の部分よりも長く設けられているピン状の部分が存在していて、導線４１のガイドを良好に行うようにしている。
【００５２】
また、端子取付部８０には、ピン型コンデンサ９０を取り付けるためのコンデンサ取付部８５も設けられている。図８は、端子取付部８０のうちコンデンサ取付部８５付近の構成を示す正面断面図であり、コンデンサ取付部８５にピン型コンデンサ９０が存在する状態を示している。図８に示すように、コンデンサ取付部８５には、ピン型コンデンサ９０を設置するために窪んだ設置凹部８５１が設けられている。なお、一対のリード部９１のうち長手方向（Ｘ方向）の一端側（Ｘ１側）から突出するものは、第２取付縦溝８３Ｂにおいて端子部材７０Ｂのリード重ね部７０Ｂ１と重なるように配置され、幅方向（Ｙ方向）の手前側（Ｙ１側）に延出している。
【００５３】
また、一対のリード部９１のうち他方側は、導出溝部８５２を介して幅方向（Ｙ方向）の手前側（Ｙ１側）に導出している。加えて、端子取付部８０のうち導出溝部８５２の下方側（Ｚ２側）の側壁には、その側壁から離間する向きに突出するガイド凸部８５３が設けられ、そのガイド凸部８５３とリード部９１の先端側とが重ねられる。それにより、導線４１の端末をリード部９１に絡げ易くしている。なお、導線４１とリード部９１の電気的な接続も、半田付け、抵抗溶接、レーザ溶接など様々の工法を用いることができる。
【００５４】
また、コンデンサ取付部８５には、手前側係止壁８５４が設けられ、さらに手前側係止壁８５４からは抑え部８５５が延出している。手前側係止壁８５４は、ピン型コンデンサ９０のうち一対のリード部９１の間に位置し、当該ピン型コンデンサ９０が手前側（Ｙ１側）に移動するのを規制する部分である。また、抑え部８５５は、設置凹部８５１と対向して、ピン型コンデンサ９０が上方側（Ｚ１側）に抜けるのを防止する部分である。そのため、抑え部８５５は、手前側係止壁８５４の上方側（Ｚ１側）から奥側（Ｙ２側）に向かい延出している。
【００５５】
ここで、本実施の形態では、上述のようなピン型コンデンサ９０が用いられている。かかるピン型コンデンサ９０を用いる場合、次のような効果を生じさせることができる。すなわち、リード部９１を曲げることにより、ピン型コンデンサ９０のリード部９１の引き出し方向を修正できるので、端子取付部８０の形状に合わせてリード部９１を引き出すことができる。それにより、端子取付部８０の設計を簡素化することができる。
【００５６】
また、ピン型コンデンサ９０を用いる場合、面実装型のチップコンデンサと比較して、リード部９１を半田付けしたり溶接する等、種々の取付工程に対応可能となる。ここで、導出溝部８５２や第２取付縦溝８３Ｂからリード部９１を引き出して、端子取付部８０の外側で取付工程を行うことができるので、取付工程において発生した熱から端子取付部８０へのダメージを低減することができる。
【００５７】
さらに、ピン型コンデンサ９０は、面実装型のチップコンデンサに比べて、端子取付部８０へ搭載する際に上述の設置凹部８５１に取り付ける等、その搭載工程を単純化することができる。それにより、工程の簡素化によるコスト削減もできる。
【００５８】
なお、取付溝８１へ端子部材７０を取り付ける態様は、上述に限られるものではない。たとえば、導線４１をコア２０の外周側に直接巻回して配置することができる。この場合、巻枠部３２が不要となる。以下に、端子部材７０を取付溝８１へ取り付ける他の態様について説明する。
【００５９】
（他の形態１）
図９は、他の形態１に関するアンテナ装置１１の構成を示す斜視図である。図１０は、他の形態１に関するアンテナ装置１１から樹脂充填部５０を取り除いた構成を示す斜視図である。なお、図９に示す構成では、ケース６０の手前側（Ｙ１側）の側面が開放している状態で示されているが、この手前側（Ｙ１側）の側面が閉塞しても良いのは勿論である。
【００６０】
図９および図１０に示すように、他の形態１では、端子部材７０は、図７に示すものとは異なり、ストレート形状に形成されている。そして、かかるストレート形状の端子部材７０が、第１取付縦溝８３Ａと第２取付縦溝８３Ｂに差し込まれている。このようなストレート形状の端子部材７０を、第１取付縦溝８３Ａと第２取付縦溝８３Ｂに差し込んでいる関係上、ケース６０のコネクタ接続部６２は、端子部材７０の奥側（Ｙ２側）に対応する位置に突出するように設けられている。
【００６１】
（他の形態２）
図１１は、他の形態２に関するアンテナ装置１２の構成を示す斜視図である。図１２は、他の形態２に関するアンテナ装置１２から樹脂充填部５０を取り除いた状態を示す斜視図である。なお、図１１においては、長手方向（Ｘ方向）の一端側（Ｘ１側）の端面が開放している状態で示されているが、この一端側（Ｘ１側）の端面が閉塞しても良いのは勿論である。
【００６２】
図１２に示すように、他の形態２では、端子部材７０は、図７に示す端子部材７０と同様に略Ｌ字形状となるように曲げられている。しかしながら、端子部材７０のうち、第１取付縦溝８３Ａと第２取付縦溝８３Ｂに差し込まれる部分は、ストレート形状となっている。そして、それぞれの端子部材７０は、奥側（Ｙ２側）において、長手方向（Ｘ方向）の他端側（Ｘ２側）に向かうように曲げられている。かかる略Ｌ字形状の端子部材７０を、第１取付縦溝８３Ａと第２取付縦溝８３Ｂに差し込んでいる関係上、ケース６０のコネクタ接続部６２は、端子部材７０の奥側（Ｙ２側）に対応する位置から突出すると共に、端子部材７０の奥側（Ｙ２側）の曲げに対応する部位から、長手方向（Ｘ方向）の他端側（Ｘ２側）に向かうように曲げられている。すなわち、コネクタ接続部６２も略Ｌ字形状に設けられている。
【００６３】
（他の形態３）
図１３は、他の形態３に関するアンテナ装置１３の構成からケース６０と樹脂充填部５０を取り除いた構成を示す斜視図である。なお、この他の形態３では、ケース６０および樹脂充填部５０を取り付けた状態の構成は、上述した図１に示す形態と同様であるので、図示を省略する。
【００６４】
かかるアンテナ装置１３では、端子部材７０は３つ用いられた、３端子タイプのアンテナ装置となっている。そして、かかる３つの端子部材７０に対応させるべく、端子取付部８０に存在する８１には、３つの取付横溝８２と、同じく３つの取付縦溝８３とが設けられている。以下の説明では、取付横溝８２については、手前側（Ｙ１側）から奥側（Ｙ２側）に向かい、順に、第１取付横溝８２Ａ、第２取付横溝８２Ｂおよび第３取付横溝８２Ｃとする。また、取付縦溝８３については、長手方向（Ｘ方向）の一端側（Ｘ１側）から他端側（Ｘ２側）に向かい、順に、第１取付縦溝８３Ａ、第２取付縦溝８３Ｂおよび第３取付縦溝８３Ｃとする。
【００６５】
なお、第３取付縦溝８３Ｃは、上述した導出溝部８５２と同様の位置に設けられている。そして、端子部材７０のうち端子部材７０Ａは、図６等に示す構成と同様に、第１取付横溝８２Ａおよび第１取付縦溝８３Ａに跨って差し込まれる。また、端子部材７０Ｂは、第２取付横溝８２Ｂおよび第２取付縦溝８３Ｂに跨って差し込まれている。さらに、端子部材７０Ｃは、第３取付横溝８２Ｃおよび第３取付縦溝８３Ｃに跨って差し込まれている。
【００６６】
そして、端子部材７０Ａの絡げ端子部７０Ａ１には、上述のように導線４１の端末が絡げられて両者が電気的に接続されている。また、端子部材７０Ｂのリード重ね部７０Ｂ１には、一方のリード部９１が重ねられて両者が電気的に接続されている。また、端子部材７０Ｃにもリード重ね部７０Ｃ１が設けられていて、そのリード重ね部７０Ｃ１には、他方のリード部９１が重ねられると共に、４１の端末が巻回されている。そして導線４１の端末、リード部９１およびリード重ね部７０Ｃ１が電気的に接続されている。
【００６７】
このような接続により、アンテナ装置１３では、図１４に示すような内部接続回路が構成される。なお、かかる３端子タイプのアンテナ装置１３では、そのアンテナ装置１３が取り付けられるもの（車両を含む）の回路仕様に基づいて、ＬＣ直列発振回路、Ｌ素子のみから構成される発振回路、またはＬＣ並列発振回路等を、取り付ける端子部材７０とその端子部材７０に接続する回路素子を選択することで自由に実現可能となる。そのため、アンテナ装置１３では、アンテナ装置としての汎用性がさらに高くなる。
【００６８】
なお、他の形態３の変形例を、図１５および図１６に示す。図１５は、図１０に示すような、ストレート形状の端子部材７０（端子部材７０Ａ〜７０Ｃ）を、それぞれ第１取付縦溝８３Ａ〜８３Ｃに差し込まれた状態を示している。また、図１６は、図１２に示すような略Ｌ字形状の端子部材７０（端子部材７０Ａ〜７０Ｃ）が用いられている状態を示す図である。なお、図１６では、略Ｌ字形状の端子部材７０（端子部材７０Ａ〜７０Ｃ）は、それぞれ第１取付縦溝８３Ａ〜８３Ｃに差し込まれている。しかしながら、略Ｌ字形状の端子部材７０（端子部材７０Ａ〜７０Ｃ）のうち、第１取付縦溝８３Ａ〜８３Ｃに差し込まれる部分は、それぞれの端子部材７０Ａ〜７０Ｃのうちのストレート形状の部分となっている。
【００６９】
（他の形態４）
図１７は、他の形態４に関するアンテナ装置１４に係り、そのアンテナ装置１４の構成からケース６０と樹脂充填部５０を取り除いた構成を示す斜視図である。なお、この他の形態３では、ケース６０および樹脂充填部５０を取り付けた状態の構成は、上述した図１に示す形態と同様であるので、図示を省略する。
【００７０】
他の形態４のベース３０は、上述したような筒体部３１を有し、その筒体部３１には、コア２０を挿入する内挿孔３４が設けられている。また、筒体部３１には、導線４１の巻回によって構成されるコイル４０が配置されている。しかしながら、他の形態４においては、ベース３０には、支持鍔部３３に代えて、フィン３５が存在している。フィン３５は、複数（図１７ではそれぞれ４つずつ）設けられていて、このフィン３５がケース６０の差込孔６１の内壁に当接する。それにより、差込孔６１は、外部から封止される。
【００７１】
また、端子取付部８０は、筒体部３１の奥側（Ｙ２側）の側面から、さらに奥側（Ｙ２側）に向かい突出して設けられている。図１８は、端子取付部８０の構成を示す平面図である。図１７および図１８に示すように、端子取付部８０には、開口部８６が設けられている。開口部８６は、端子取付部８０を上下方向（Ｚ方向）に沿って貫通している。この開口部８６には、ＳＭＤ（Surface Mount Device）型のチップコンデンサ１００が配置されている。
【００７２】
また、端子取付部８０には、端子部材７０の個数に対応した数の端子挿入孔８７が設けられている。なお、端子挿入孔８７は、端子差込部に対応する。複数の端子挿入孔８７のうち、最も奥側（Ｙ２側）の端子挿入孔８７Ｃは、開口部８６には差し掛からない。しかし、手前側（Ｙ１側）に位置する２つの端子部材７０Ａ，７０Ｂを差し込むための端子挿入孔８７Ａ，８７Ｂは、開口部８６に差し掛かる。すなわち、端子挿入孔８７Ａ，８７Ｂの孔開口部分が、開口部８６に露出する。
【００７３】
なお、端子挿入孔８７Ａ，８７Ｂは、開口部８６によって２つに分割された状態となっている。そのうち、開口部８６よりも他端側（Ｘ２側）に位置する端子挿入孔８７Ａ，８７Ｂは、開口面積が大きく設けられているが、一端側（Ｘ１側）に位置する端子挿入孔８７Ａ，８７Ｂは、開口面積が小さく設けられている。それにより、他端側（Ｘ２側）から一端側（Ｘ１側）に向かって端子挿入孔８７Ａ，８７Ｂに差し込まれた端子部材７０Ａ，７０Ｂの差し込みが規制される。
【００７４】
図１９は、端子部材７０の形状を示す平面図である。図１９に示すように、端子部材７０は、幅狭ピン状部７２と、幅広支持部７３と、外方幅広部７４とが設けられ、これらが連なっている。そして、幅狭ピン状部７２よりも幅広支持部７３が幅広であり、また幅広支持部７３よりも外方幅広部７４が幅広に設けられている。なお、図１９には、カット線Ｐ，Ｑも示されている。図１９に示す端子部材７０をカット線Ｐに沿って切断すると、最も手前側（Ｙ１側）に位置する端子部材７０Ａが形成される。また、図１９に示す端子部材７０をカット線Ｑに沿って切断すると、端子部材７０Ａに隣り合う端子部材７０Ｂが形成される。かかるカット線Ｐ，Ｑに沿った端子部材７０の切断は、端子挿入孔８７Ａ，８７Ｂへの端子部材７０の挿入後に行っても良く（切断工程に対応）、端子挿入孔８７Ａ，８７Ｂへの端子部材７０の挿入前に行っても良い。
【００７５】
また、端子挿入孔８７Ａ，８７Ｂに端子部材７０Ａ，７０Ｂがそれぞれ挿入された後には、幅広支持部７３によってチップコンデンサ１００が支持され、そのチップコンデンサ１００がそれぞれの幅広支持部７３に対して半田付けやその他の手法によって電気的に接続される。
【００７６】
また、端子部材７０Ａの外方幅広部７４と、端子部材７０Ｃの外方幅広部７４には、それぞれ導線４１が絡げられて、これらが電気的に接続されている。
【００７７】
なお、この他の形態４では、端子挿入孔８７をベース３０と一体成型してから、端子部材７０を挿入する製造方法を示している。ただし、ベース３０を成型する際、端子挿入孔を設けない方法でも製造できる。この場合、まず端子挿入孔が存在しないベース３０を射出成型方法で形成し、その後、ベース３０の所定位置に、自動端子ピン打込機械を用いて、端子部材７０を打ち込みながら、端子挿入孔８７を形成することもできる。
【００７８】
＜効果について＞
以上のような構成のアンテナ装置１０によると、端子取付部８０には、複数の取付溝８１が設けられていて、その取付溝８１に端子部材７０が差し込まれる。そのため、インサート成型を行わずに簡易に端子部材７０を取り付けることが可能となる。そのため、インサート成型を行うための金型を用いずに済み、工程を簡素化することができる。また、インサート成型を行わずに済むので、コストを低減することが可能となる。
【００７９】
また、複数の取付溝８１から所望する取付溝８１を選択して、端子部材７０を差し込むことが可能となり、端子部材７０の取付態様を容易に変更することが可能となる。それにより、端子部材７０の取り付けの自由度を向上させることが可能となる。すなわち、多様な客先仕様に対応させることも可能となる。
【００８０】
ここで、従来構成では、端子部材７０の取付態様を変更する場合、その変更に対応させてインサート成型のための金型を新たに製作する必要が生じている。しかしながら、本実施の形態では、同じベース３０を用いると共に、そのベース３０から端子部材７０を取り付ける取付溝８１を選択するだけで、端子部材７０の取付態様を容易に変更することができる。そのため、新たにインサート成型のための金型を製作せずに済み、工程を簡素化することが可能となると共に、コストを低減可能となる。
【００８１】
また、本実施の形態では、アンテナ装置１０〜１４は、端子取付部８０と一体成型される巻枠部３２を更に備えている。また、コア２０が巻枠部３２の内挿孔３４に挿入され、コア２０が巻枠部３２の外周側に配置されている。このため、巻枠部３２にコイル４０を形成することが可能となり、コア２０にコイル４０が直接形成されない構成となる。そのため、コア２０の外周にコイル４０が直接形成される場合と比較して、導線４１の巻回によるコイル４０の形成や、コイル４０の形成後に導線４１の端末を端子部材７０の絡げ端子部７０Ａ１に絡げる作業が容易に行える。
【００８２】
また、本実施の形態では、複数の取付溝８１は、凹形状に設けられていて、その凹形状の取付溝８１は、他の取付溝８１と交差している。そのため、端子部材７０の配置の自由度を一層向上させることができる。また、取付溝８１同士が交差する部位では、その交差に対応させて端子部材７０を曲げた状態で配置することも可能となり、端子部材７０の引き出し方向の自由度を向上させることができる。
【００８３】
さらに、本実施の形態では、取付溝８１には、端子取付部８０の幅方向（Ｙ方向）に沿って当該端子取付部８０を突っ切る複数の取付縦溝８３と、端子取付部８０の幅方向（Ｙ方向）と交差する方向（たとえばＸ方向）に沿って延伸する複数の取付横溝８２とが設けられている。そのため、取り付ける端子部材７０の長さや、端子部材７０を引き出す方向や位置を種々選択することが可能となり、端子部材７０の取り付けの自由度を一層向上させることができる。
【００８４】
また、本実施の形態では、取付縦溝８３と取付横溝８２とは、直交する状態で交差している。このため、端子部材７０の引き出し方向を、種々の方向に分散させることができる。たとえば、端子部材７０の引き出し方向を、端子取付部８０の側面側および正面側とすることが可能となる。
【００８５】
さらに、本実施の形態では、取付溝８１同士が交差する部位のうちの少なくとも１つには、端子部材７０の曲げ形状に対応する湾曲部８４１が設けられている。このため、たとえば略Ｌ字形状等、曲げ部を有する端子部材７０についても、取付溝８１に良好に取り付けることが可能となる。
【００８６】
また、本実施の形態では、複数の端子部材７０のうち２つについては、その一方側が他の装置に接続されるユーザ端子であると共に、その他方側が導線の端末が絡げられる絡げ端子部７０Ａ１である。そのため、他の電気機器やコネクタ等といった各種の装置にユーザ端子を介して接続することが可能となる。また、導線４１の端末を絡げ端子部７０Ａ１に絡げさせることが可能となる。
【００８７】
さらに、本実施の形態では、他の形態４において説明したように、端子取付部８０に端子挿入孔８７を形成する構成とすることもできる。この場合にも、インサート成型を行わずに端子部材７０を端子取付部８０に取り付けることが可能となる。それにより、インサート成型を行うための金型を用いずに済み、工程を簡素化することができる。また、インサート成型を行わずに済み、ベース３０の形成に用いられる金型の簡素化も実現できるので、コストを低減することが可能となる。
【００８８】
また、本実施の形態では、他の形態４において説明したように、端子取付部８０には、開口部８６が設けられていると共に、開口部８６には面実装型のチップコンデンサ１００が配置される。そして、端子部材７０には、チップコンデンサ１００を支持すると共に端子挿入孔８７への差し込みの先端側よりも広い幅広支持部７３が設けられている。そのため、開口部８６において、幅広支持部７３でチップコンデンサ１００を支持する構成とすることができる。また、半田付けやその他の手法によって、チップコンデンサ１００を幅広支持部７３に容易に取り付けることが可能となる。
【００８９】
また、本実施の形態では、端子挿入孔８７Ａ，８７Ｂに端子部材７０Ａ，７０Ｂをそれぞれ差し込んだ後に、端子部材７０Ａ，７０Ｂを切断するように製作することも可能である。このように構成する場合には、端子部材７０Ａ，７０Ｂの挿入長さや挿入位置に合わせた切断を実現することが可能となる。
【００９０】
＜変形例＞
以上、本発明の一実施の形態について説明したが、本発明はこれ以外にも種々変形可能となっている。以下、それについて述べる。
【００９１】
上述の実施の形態では、ピン型コンデンサ９０は、端子取付部８０のうち取付溝８１が存在する側の面と同じ側（Ｚ１側の面）に搭載されている。しかしながら、ピン型コンデンサ９０は、取付溝８１と同じ側の面に搭載せずに、それとは反対側の面（Ｚ２側の面）に搭載する構成としても良い。
【００９２】
また、上述の実施の形態では、コンデンサとしてピン型コンデンサ９０を用いる場合について説明している。しかしながら、このようなピン型コンデンサ９０を用いる場合であっても、そのピン型コンデンサ９０に代えて、面実装型のコンデンサを用いるようにしても良い。なお、たとえば、ＳＭＤ（Surface Mount Device）型のチップコンデンサを用いる場合、２つではなく３つの他方の端子部材７０を用いることができる。その場合、チップコンデンサの実装電極および導線４１の端末を絡げるための３つ目の他方の端子部材７０を用いることができる。なお、かかるチップコンデンサを用いる場合、そのチップコンデンサと端子部材７０との接触面積を大きくするために、端子部材７０に幅広部を設けるように構成することが好ましい。
【００９３】
また、上述の実施の形態において、端子部材７０が一層抜け難くするために、次のような構成を採用しても良い。すなわち、それぞれの取付溝８１の底部に浅い凹部を設け、その凹部に向けて端子部材７０を治具等を用いて押し込んで、端子部材７０が浅い凹部に嵌合するように変形させる。そのように変形させることにより、端子部材７０が一層抜け難くなる。また、浅い凹部を設けなくても、単に端子部材７０を取付溝８１に押し込んで変形させることで、端子部材７０から取付溝８１が抜け難い構成としても良い。
【００９４】
また、上述の実施の形態では、２つの端子部材７０が同じ方向に引き出されている。しかしながら、２つの端子部材７０が、それぞれ別の方向に引き出されるようにしても良い。
【００９５】
また、上述の実施の形態では、フープ材から構成される端子部材７０を例示している。しかしながら、端子部材としては、フープ材に限られず、たとえばピン型の金属端子を用いることも可能である。なお、フープ材の端子部材７０とピン型の金属端子とを組み合わせることも可能である。
【符号の説明】
【００９６】
１０〜１４…アンテナ装置、２０…コア、３０…ベース、３１…筒体部、３２…巻枠部、３３，３３Ａ，３３Ｂ…支持鍔部、３４…内挿孔、３５…フィン、４０…コイル、４１…導線、５０…樹脂充填部、６０…ケース、６１…差込孔、６２…コネクタ接続部、７０，７０Ａ〜７０Ｃ…端子部材、７０Ａ１…絡げ端子部、７０Ｂ１，７０Ｃ１…リード重ね部、７１…幅広部、７２…幅狭ピン状部、７３…幅広支持部、７４…外方幅広部、８０…端子取付部、８１…取付溝（端子差込部に対応）、８２…取付横溝、８２Ａ…第１取付横溝、８２Ｂ…第２取付横溝、８２Ｃ…第３取付横溝、８３…取付縦溝、８３Ａ…第１取付縦溝８３Ａ、８３Ｂ…第２取付縦溝、８３Ｃ…第３取付縦溝、８４…ブロック、８４Ａ…第１ブロック、８４Ｂ…第２ブロック、８４Ｃ…第３ブロック、８４Ｄ…第４ブロック、８４Ｄ１…端末ガイド部、８４Ｅ…第５ブロック、８４Ｆ…第６ブロック、８５…コンデンサ取付部、８６…開口部、８７，８７Ａ，８７Ｂ…端子挿入孔（端子差込部に対応）、９０…ピン型コンデンサ（電子部品に対応）、９１…リード部、１００…チップコンデンサ（電子部品に対応）、３３１…ガイドスロープ、６１１…閉塞壁、６１２…端子挿入孔、６２１…コネクタ穴、８４１…湾曲部、８５１…設置凹部、８５２…導出溝部、８５３…ガイド凸部、８５４…手前側係止壁、８５５…抑え部
【図１】
2018148583.tif 000003
【図２】
2018148583.tif 000004
【図３】
2018148583.tif 000005
【図４】
2018148583.tif 000006
【図５】
2018148583.tif 000007
【図６】
2018148583.tif 000008
【図７】
2018148583.tif 000009
【図８】
2018148583.tif 000010
【図９】
2018148583.tif 000011
【図１０】
2018148583.tif 000012
【図１１】
2018148583.tif 000013
【図１２】
2018148583.tif 000014
【図１３】
2018148583.tif 000015
【図１４】
2018148583.tif 000016
【図１５】
2018148583.tif 000017
【図１６】
2018148583.tif 000018
【図１７】
2018148583.tif 000019
【図１８】
2018148583.tif 000020
【図１９】
2018148583.tif 000021